(57)【要約】【課題】ペット用牽引装置を提供する。【解決手段】本考案のペット用牽引装置は、主に本体１及び弾性構成部材で構成され、本体１には弾性構成部材が内設される収容空間１１が形成される。また、弾性構成部材にはペットの首輪に繋がれる第一ロープ３１が設置され、且つ第一ロープ３１は本体１外部まで延出される。第一ロープ３１が外力を受けると第一ロープ３１により弾性構成部材が牽引され、これにより弾性構成部材が圧縮されて変形する。また、本体１は連結部を有し、且つ連結部には本体１の外部に向けて延出される第二ロープ３２が連結され、使用者は第二ロープ３２を掴んでペットを引っ張ることができる。また、ペットが突然走りだした場合でも弾性構成部材の弾性復元力によりペットが引っ張る力が緩和され、よって牽引装置が力を緩和する効果を有する。【選択図】図１
0003217736.tif 000002
【実用新案登録請求の範囲】
【請求項１】
中空の筒状を呈すると共に第一端及び第二端を有する本体を備え、且つ前記本体の内部には収容空間が形成され、前記収容空間には弾性裕度を有する弾性構成部材が内設され、且つ前記弾性構成部材には前記本体の第一端に向けて前記本体の外部まで延出される第一ロープが設置され、前記第一ロープが外力を受けると前記第一ロープにより前記弾性構成部材が牽引され、これにより前記弾性構成部材が圧縮されて変形し、前記本体の第二端には連結部を有し、且つ前記連結部には前記第二端に向けて前記本体の外部まで延伸される第二ロープが連結されることを特徴とするペット用牽引装置。
【請求項２】
前記本体の第一端には第一貫通孔が開設され、前記弾性構成部材は第一ストッパー及び第一弾性部材で構成され、且つ前記第一弾性部材は第一弾性当接端及び第二弾性当接端を有し、前記第一弾性部材の第一弾性当接端の外径は前記第一貫通孔の内径より大きく、前記第一弾性部材が前記第一貫通孔の外周縁に弾性により当接され、前記第二弾性当接端には前記第一ストッパーが設置され、且つ前記第一ロープの一端は前記第一ストッパーに固設され、前記第一ロープの他端は前記第一貫通孔を通過させて前記本体の外部まで延伸され、前記第一ロープが前記第一ストッパーから離間する方向への外力を受けると前記第一ロープにより前記第一ストッパーが牽引されて前記第一貫通孔の方向に移動され、これにより前記第一弾性部材が圧縮されて変形することを特徴とする請求項１に記載のペット用牽引装置。
【請求項３】
前記連結部は枢動可能なバックルで構成され、且つ前記第二ロープはその一端が前記バックルに連結され、前記第二ロープの他端が前記本体の外部まで延伸されることを特徴とする請求項２に記載のペット用牽引装置。
【請求項４】
前記本体の第一端と前記第一弾性部材の第一弾性当接端との間には弾性ブロックが設置され、前記弾性ブロックには前記第一貫通孔に対応する第二貫通孔が開設され、且つ前記第一ロープの一端は前記第一ストッパーに固設され、前記第一ロープの他端は前記第二貫通孔及び前記第一貫通孔を貫通させて前記本体の外部まで延出されることを特徴とする請求項３に記載のペット用牽引装置。
【請求項５】
前記第一弾性部材の内径には補助ばねが内設され、且つ前記補助ばねの長さは前記第一弾性部材の長さと同じであり、前記補助ばね及び前記第一弾性部材の両端が同時に前記第一貫通孔の外周縁及び前記第一ストッパーに弾性により当接され、前記第一ロープが前記第一ストッパーから離間する方向への外力を受けると前記第一ロープにより前記第一ストッパーが牽引されて前記第一貫通孔の方向に移動され、これにより前記第一弾性部材及び前記補助ばねが同時に圧縮されて変形することを特徴とする請求項３に記載のペット用牽引装置。
【請求項６】
前記連結部は第二ストッパー及び第二弾性部材で構成され、前記第二弾性部材は前記収容空間に内設され、且つ前記第二弾性部材は第三弾性当接端及び第四弾性当接端を有し、前記第四弾性当接端は前記本体の第二端端面に弾性により当接され、前記第三弾性当接端と前記第一弾性部材の第一ストッパーとの間には前記第二ストッパーが設置され、且つ前記第三弾性当接端は前記第二ストッパーに弾性により当接され、前記第二ロープの一端は前記第二ストッパーに固設され、前記第二ロープの他端は前記本体の外部まで延伸され、前記第二ロープが前記第二ストッパーから離間する方向への外力を受けると前記第二ロープにより前記第二ストッパーが牽引されて本体の第二端の方向に移動され、これにより前記第二弾性部材が圧縮されて変形することを特徴とする請求項２に記載のペット用牽引装置。
【考案の詳細な説明】
【技術分野】
【０００１】
本考案は、牽引装置に関し、より詳しくは、ペット用牽引装置に関する。
【背景技術】
【０００２】
現代社会は少子化及び高齢化現象が日増しに深刻になっており、ペットを求める人々が日に日に増加している。人々は自分が飼っているペットを家族同様に可愛がっており、ペットと一緒に散歩や旅行に行くことも珍しくない。飼い主がペットを連れて外出する場合、飼い主はペットが突然人を襲ったり危険な場所（例えば、道路、工事現場等）に向けて走りだしたりしないようにするため、通常ペットにリードを付けて引っ張れるようにしている。これにより、飼い主が制御可能な範囲内でペットが自由に行動できるようになる。
【０００３】
従来の特許文献では、例えば、ペット用リードの考案が記載されている（特許文献１参照）。このペット用リードは螺旋状を呈する弾性牽引ベルト及び両端にスイベルが連結されるバックルで構成される。弾性牽引ベルトの一端のスイベルが連結されるバックルをペットに着用させ、他端のスイベルが連結されるバックルは飼い主が持ってペットを引っ張る。ペットが驚いて突然走りだした場合、弾性牽引ベルトの弾性伸縮特性により暴走するペットの力が緩和され、ペット自身及び引く人間の手が負担する力が効果的に減少する。
【先行技術文献】
【特許文献】
【０００４】
【特許文献１】台湾実用新案第４７４３３９号公報
【考案の概要】
【考案が解決しようとする課題】
【０００５】
ところが、このペット用リードがペットに引っ張られた場合、弾性牽引ベルトは弾性伸縮特性により引き伸ばされ、引く力が解除されると、弾性牽引ベルトの弾性復元力により本来の巻かれた状態を回復させるが、但し、弾性牽引ベルトが本来の状態を回復させる過程では、螺旋状の隙間に異物が挟まったり、ペットや飼い主の体の一部が挟まって怪我をすることもあった。また、このペット用リードの弾性牽引ベルトが負担可能な力は一定であり、ペットの大きさに合わせて適度に調整させることができず、弾性牽引ベルトが体型の異なるペットに引っ張られると、伸び易すぎる或いは伸縮しにくいために、暴走するペットの力の緩和効果が大幅に低下した。
【０００６】
そこで、本考案者は上記の欠点が改善可能と考え、鋭意検討を重ねた結果、合理的設計で上記の課題を効果的に改善する本考案の提案に到った。
【０００７】
かかる従来の実情に鑑みて、本考案の第一の目的は、ペットが引っ張る力を緩和させる効果を有するペット用牽引装置を提供する。
【０００８】
本考案の第二の目的は、ペットの体型の違いに応じて弾性構成部材を交換させ、且つ弾性構成部材が外に露出されるため挟まれて怪我をする事故を防ぐ効果を有するペット用牽引装置を提供する。
【０００９】
本考案の第三の目的は、弾性構成部材が外に露出されるためにペットや飼い主の体の一部が挟まれる事故を防ぐ効果を有するペット用牽引装置を提供する。
【課題を解決するための手段】
【００１０】
上記課題を解決するために、本考案のある態様のペット用牽引装置は、中空の筒状を呈すると共に第一端及び第二端を有する本体を備える。前記本体の内部には収容空間が形成され、前記収容空間には弾性裕度を有する弾性構成部材が内設される。前記弾性構成部材には前記本体の第一端に向けて前記本体の外部まで延出される第一ロープが設置される。前記第一ロープが外力を受けると前記第一ロープにより前記弾性構成部材が牽引され、これにより前記弾性構成部材が圧縮されて変形する。前記本体の第二端には連結部を有し、且つ前記連結部には前記第二端に向けて前記本体の外部まで延伸される第二ロープが連結される。
【００１１】
好ましくは、前記本体の第一端には第一貫通孔が開設される。前記弾性構成部材は第一ストッパー及び第一弾性部材で構成され、且つ前記第一弾性部材は第一弾性当接端及び第二弾性当接端を有する。前記第一弾性部材の第一弾性当接端の外径は前記第一貫通孔の内径より大きく、前記第一弾性部材が前記第一貫通孔の外周縁に弾性により当接され、前記第二弾性当接端には前記第一ストッパーが設置される。前記第一ロープの一端は前記第一ストッパーに固設され、前記第一ロープの他端は前記第一貫通孔を通過させて前記本体の外部まで延伸される。前記第一ロープが前記第一ストッパーから離間する方向への外力を受けると前記第一ロープにより前記第一ストッパーが牽引されて前記第一貫通孔の方向に移動され、これにより前記第一弾性部材が圧縮されて変形する。
【００１２】
好ましくは、前記連結部は枢動可能なバックルで構成され、且つ前記第二ロープはその一端が前記バックルに連結され、前記第二ロープの他端が前記本体の外部まで延伸される。
【００１３】
好ましくは、前記本体の第一端と前記第一弾性部材の第一弾性当接端との間には弾性ブロックが設置され、前記弾性ブロックには前記第一貫通孔に対応する第二貫通孔が開設される。前記第一ロープの一端は前記第一ストッパーに固設され、前記第一ロープの他端は前記第二貫通孔及び前記第一貫通孔を貫通させて前記本体の外部まで延出される。
【００１４】
好ましくは、前記第一弾性部材の内径には補助ばねが内設され、且つ前記補助ばねの長さは前記第一弾性部材の長さと同じであり、前記補助ばね及び前記第一弾性部材の両端が同時に前記第一貫通孔の外周縁及び前記第一ストッパーに弾性により当接される。前記第一ロープが前記第一ストッパーから離間する方向への外力を受けると前記第一ロープにより前記第一ストッパーが牽引されて前記第一貫通孔の方向に移動され、これにより前記第一弾性部材及び前記補助ばねが同時に圧縮されて変形する。
【００１５】
好ましくは、前記連結部は第二ストッパー及び第二弾性部材で構成され、前記第二弾性部材は前記収容空間に内設される。前記第二弾性部材は第三弾性当接端及び第四弾性当接端を有し、前記第四弾性当接端は前記本体の第二端端面に弾性により当接され、前記第三弾性当接端と前記第一弾性部材の第一ストッパーとの間には前記第二ストッパーが設置される。前記第三弾性当接端は前記第二ストッパーに弾性により当接され、前記第二ロープの一端は前記第二ストッパーに固設され、前記第二ロープの他端は前記本体の外部まで延伸される。前記第二ロープが前記第二ストッパーから離間する方向への外力を受けると前記第二ロープにより前記第二ストッパーが牽引されて本体の第二端の方向に移動され、これにより前記第二弾性部材が圧縮されて変形する。
【図面の簡単な説明】
【００１６】
【図１】本考案の第１実施例の構成を示す概略図である。
【図２】本考案の第１実施例を示す平面概略図である。
【図３】本考案の第１実施例の使用状態の概略図であり、第一ストッパーをロープで牽引する場合を示す状態である。
【図４】本考案の第２実施例を示す平面概略図である。
【図５】本考案の第３実施例を示す平面概略図である。
【図６】本考案の第４実施例を示す平面概略図である。
【図７】本考案の第４実施例の状態の概略図であり、第一ストッパーを第一ロープで牽引する場合を示す状態である。
【図８】本考案の第４実施例の状態の概略図であり、第二ストッパーを第二ロープで牽引する場合を示す状態である。
【考案を実施するための形態】
【００１７】
以下に、本考案に係る表示灯付発信機の実施の形態を図面に基づいて詳細に説明する。なお、各実施の形態によりこの考案が限定されるものではない。
【実施例１】
【００１８】
本考案の第１実施例の構成を図１から図３に示す。本考案のペット用牽引装置は主に本体１及び弾性構成部材で構成される。以下では本体１の構造について説明する。
【００１９】
本体１は中空の筒状を呈すると共に収容空間１１を有し、前記本体１は第一端１２及び前記第一端１２とは反対にある第二端１３を有し、且つ前記本体１の第一端１２は前記収容空間１１に連通される開口部１４、及び前記開口部１４を閉じる蓋１５を有する。また、前記蓋１５には前記収容空間１１に連通される第一貫通孔１６Ａが開設される。前記弾性構成部材は第一弾性部材２１Ａ及び片状を呈する第一ストッパー２２Ａで構成され、且つ前記第一弾性部材２１Ａは第一弾性当接端２６及び第二弾性当接端２７を有する。前記第一弾性部材２１Ａの第一弾性当接端２６の外径は前記第一貫通孔１６Ａの内径より大きく、前記第一弾性部材２１Ａが前記第一貫通孔１６Ａの外周縁に弾性により当接される。前記第二弾性当接端２７には前記第一ストッパー２２Ａが設置され、前記第一ストッパー２２Ａの外径は前記収容空間１１の内径よりやや小さく、且つ前記第一弾性部材２１Ａの外径より大きく、前記収容空間１１に沿って移動を行うと共に第一ロープ３１を有する。前記第一ロープ３１の一端は前記第一ストッパー２２Ａに固設され、前記第一ロープ３１の他端は前記第一貫通孔１６Ａを通過させて前記本体１の外部まで延伸される。前記第一ロープ３１が前記第一ストッパー２２Ａから離間する方向への外力を受けると前記第一ロープ３１により前記第一ストッパー２２Ａが牽引されて前記第一貫通孔１６Ａの方向に移動され、これにより前記第一ストッパー２２Ａが前記第一弾性部材２１Ａを圧縮させ、前記第一弾性部材２１Ａが弾性裕度の範囲内で圧縮されて変形し、更に前記第一弾性部材２１Ａが弾性復元力を発生させて前記第一ストッパー２２Ａが前記蓋１５から離間する方向に押し戻され、外力の緩和効果が発生する（図３参照）。連結部は前記本体１の第二端１３に設置され、且つ前記連結部は本実施例では枢動可能なバックル４１であり、第二ロープ３２を有する。前記第二ロープ３２の一端はバックル４１に連結され、前記第二ロープ３２の他端は外に向けて延伸され、これにより使用者が第二ロープ３２を握持可能になる。
【００２０】
上述の構造で構成される第１実施例は実際の使用において、使用者はまず一緒に外出するペットの体型や大きさに合わせて適度な重さの第一弾性部材２１Ａを収容空間１１内に収容させ、且つ前記蓋１５により前記開口部１４を閉じる。次いで、前記第一ロープ３１の他端をペットの首輪または胴輪に連結させ、前記第一ロープ３１によりペットの行動範囲が制限される。また、使用者は前記第二ロープ３２を使用してペットを引っ張って移動させ、ペットが飼い主の制御範囲内で自由に活動可能になる。
【００２１】
前述の説明から分かるように、第１実施例の長所は以下の通りである。
使用者は本考案によりペットと一緒に外出する際に、ペットが使用者の制御範囲内で自由に活動可能になる。ペットが暴走して前記第一ロープ３１を引っ張っても、前記第一弾性部材２１Ａの弾性裕度によりペットが引っ張る力が効果的に緩和され、これによりペットの身体及び飼い主の手が引っ張られて怪我をすることが防止される。さらに、本考案はペットの体型や大きさに応じて前記収容空間１１内の第一弾性部材２１Ａを交換可能であり、こうして牽引装置が最良の力の緩和効果を提供する。また、本考案は前記第一弾性部材２１Ａが前記本体１の収容空間１１に内設され、前記第一弾性部材２１Ａが伸縮変形する際にペットや飼い主の体の一部が挟まれて怪我をする事故を有効的に防止させる。
【実施例２】
【００２２】
本考案の第２実施例の構成を図４に示す。第２実施例の構造は前述の第１実施例を基礎とし、差異について下述する。本実施例の弾性構成部材は第一弾性部材２３Ａ及び補助ばね２３Ｂで構成され、前記第一弾性部材２３Ａ及び補助ばね２３Ｂは同じ長さを有すると共に前記収容空間１１に内設される。前記第一弾性部材２３Ａの内径は前記補助ばね２３Ｂの外径より大きい。前記第一ストッパー２２Ａの外径は前記第一弾性部材２３Ａよりやや大きく、且つ前記収容空間１１の内径より小さく、前記補助ばね２３Ｂ及び第一弾性部材２３Ａの両端が同時に前記第一貫通孔１６Ａの外周縁及び前記第一ストッパー２２Ａに弾性により当接される。前記第一ロープ３１が外力を受けると前記第一ロープ３１により前記第一ストッパー２２Ａが牽引されて前記蓋１５の方向に移動され、これにより前記第一ストッパー２２Ａが前記第一弾性部材２３Ａ及び前記補助ばね２３Ｂを同時に圧縮させ、前記第一弾性部材２３Ａ及び前記補助ばね２３Ｂが同時に弾性裕度範囲内で圧縮されて変形し、弾性復元力が更に発生すると共に前記第一ストッパー２２Ａが前記蓋１５から離間する方向に押し戻され、外力の緩和効果が発生する。
【００２３】
上述の構造で構成される第２実施例は実際の使用において、同様にまず一緒に外出するペットの体型や大きさに合わせて適度な重さの第一弾性部材２３Ａ及び前記補助ばね２３Ｂを前記収容空間１１内に収容させ、且つ前記蓋１５により開口部１４を閉じる。そして、前記第一ロープ３１によりペットの行動範囲が制限され、且つ第二ロープ３２によりペットを引っ張って移動させる。こうして、本考案が提供する第２実施例では、同様にペットが飼い主の制御範囲内で自由に活動可能になり、且つペットの体型や大きさに応じて牽引装置の緩和力を自分で調整させ、挟まれて怪我をする事故を回避させる効果を同時に達成させる。
【実施例３】
【００２４】
本考案の第３実施例の構成を図５に示す。第３実施例の構造は前述の第１実施例を基礎とし、差異について下述する。前記蓋１５は第二端１３から離れるほど徐々に細くなる錐形状を呈し、物置き空間１７を有する。前記物置き空間１７には前記蓋１５の形状に対応する弾性ブロック２４が内設される。前記弾性ブロック２４の弾性係数は前記第一弾性部材２１Ａ（例えば、ポリウレタン、ゴム等）より大きく、前記第一弾性部材２１Ａの第一弾性当接端２６及び第二弾性当接端２７は前記弾性ブロック２４及び前記第一ストッパー２２Ａにそれぞれ弾性により当接される。また、前記弾性ブロック２４は前記第一貫通孔１６Ａに対応する第二貫通孔２５を有し、前記第一ロープ３１は前記第一貫通孔１６Ａ及び第二貫通孔２５を通過させると共に前記第一ストッパー２２Ａに装設される。前記第一ロープ３１が外力を受けると前記第一ロープ３１により前記第一ストッパー２２Ａが牽引されて前記蓋１５の方向に移動され、これにより前記第一ストッパー２２Ａが前記第一弾性部材２１Ａを圧縮させ、前記第一弾性部材２１Ａ及び弾性ブロック２４が弾性裕度範囲内で圧縮されて変形し、更に弾性復元力が発生して前記第一ストッパー２２Ａが蓋１５から離間する方向に押し戻され、外力を緩和する効果が発生する。
【００２５】
上述の構造で構成される第３実施例は実際の使用において、同様にまず一緒に外出するペットの体型や大きさに合わせて適度な重さの第一弾性部材２１Ａ及び前記弾性ブロック２４を前記収容空間１１及び物置き空間１７内にそれぞれ収容させ、且つ前記蓋１５により開口部１４を閉じる。その後、前記第一ロープ３１によりペットの行動範囲が制限され、且つ前記第二ロープ３２を使用してペットを引っ張って移動させる。こうして、本考案が提供する第３実施例は、同様にペットが飼い主の制御範囲内で自由に活動可能になり、且つペットの体型や大きさに応じて牽引装置の緩和力を自分で調整でき、挟まれて怪我をする事故を回避させる効果を同時に達成させる。
【実施例４】
【００２６】
本考案の第４実施例の構成を図６から図８に示す。第４実施例の構造は前述の第１実施例を基礎とし、差異について下述する。連結部は第二ストッパー２２Ｂ及び第二弾性部材２１Ｂで構成され、第二弾性部材２１Ｂは同様に前記収容空間１１に内設される。前記第二弾性部材２１Ｂは第三弾性当接端２８及び第四弾性当接端２９を有し、前記第四弾性当接端２９は前記本体１の第二端１３の端面に弾性により当接される。前記第三弾性当接端２８と第一弾性部材２１Ａの第一ストッパー２２Ａとの間には前記第二ストッパー２２Ｂが設置され、且つ第三弾性当接端２８は前記第二ストッパー２２Ｂに弾性により当接される。前記第二ロープ３２の一端は前記第二ストッパー２２Ｂに固設され、前記第二ロープ３２の他端は本体１に開設される第二端１３及び、前記収容空間１１に連通される第三貫通孔１６Ｂを通過させて、本体１の外部まで延伸される。前記第二ロープ３２が前記第二ストッパー２２Ｂから離間する方向への外力を受けると前記第二ロープ３２により前記第二ストッパー２２Ｂが牽引されて本体１の第二端１３の方向に移動され、これにより前記第二弾性部材２１Ｂが弾性裕度範囲内で圧縮されて変形し、更に前記第二弾性部材２１Ｂが弾性復元力を発生させて前記第二ストッパー２２Ｂが蓋１５の方向に押し戻され、外力の緩和効果が発生する。
【００２７】
上述の構造で構成される第４実施例は実際の使用において、同様にまず一緒に外出するペットの体型や大きさに合わせて適度な重さの第一弾性部材２１Ａ及び第二弾性部材２１Ｂを前記収容空間１１内にそれぞれ収容させ、且つ前記蓋１５により開口部１４を閉じる。その後、前記第一ロープ３１によりペットの行動範囲が制限され、且つ前記第二ロープ３２を使用してペットを引っ張って移動させる。ペットが突然走りだした場合、前記第一弾性部材２１Ａの弾性係数が前記第二弾性部材２１Ｂの弾性係数より小さいため、第一ロープ３１によりまず第一ストッパー２２Ａが牽引されて第一弾性部材２１Ａが圧縮され、その後に前記第二ロープ３２により前記第二ストッパー２２Ｂが牽引されて前記第二弾性部材２１Ｂが圧縮され（図７及び図８参照）、ペットが引っ張る力の２段階の緩和効果が達成される。
【００２８】
前述の説明のように、第４実施例の長所は、同様にペットが飼い主の制御範囲内で自由に活動可能になり、且つペットの体型や大きさに合わせて牽引装置の緩和力を自分で調整させ、挟まれて怪我をする事故を回避させる効果を同時に達成させる。更に詳しくは、前記第一弾性部材２１Ａ及び第二弾性部材２１Ｂの両者の弾性係数が異なるため、第４実施例ではペットが引っ張る力の２段階の緩和効果を有し、使用者はペットが突然暴走する状況に直面した場合に、これに即応するためのより多くの時間的余裕をもてる。
【００２９】
以上、本考案の実施形態について図面を参照して詳述したが、具体的な構成はこの実施形態に限られるものではなく、本考案の要旨を逸脱しない範囲の設計変更等も含まれる。
【符号の説明】
【００３０】
１  本体
１１  収容空間
１２  第一端
１３  第二端
１４  開口部
１５  蓋
１６Ａ  第一貫通孔
１６Ｂ  第三貫通孔
１７  物置き空間
２１Ａ  第一弾性部材
２３Ａ  第一弾性部材
２１Ｂ  第二弾性部材
２２Ａ  第一ストッパー
２２Ｂ  第二ストッパー
２３Ｂ  補助ばね
２４  弾性ブロック
２５  第二貫通孔
２６  第一弾性当接端
２７  第二弾性当接端
２８  第三弾性当接端
２９  第四弾性当接端
３１  第一ロープ
３２  第二ロープ
４１  バックル
【図１】
0003217736.tif 000003
【図２】
0003217736.tif 000004
【図３】
0003217736.tif 000005
【図４】
0003217736.tif 000006
【図５】
0003217736.tif 000007
【図６】
0003217736.tif 000008
【図７】
0003217736.tif 000009
【図８】
0003217736.tif 000010